(57)【要約】【課題】垂直羽根の構造を簡単にする。【解決手段】筐体の前面又は上面に備える吸込口と前面下部に備える吹出口とを結ぶ通風路に熱交換器と送風ファンを設け、前記吹出口に吹出風の左右方向を調節する垂直羽根を備えた空気調和機に於いて、前記垂直羽根１７は横長の固定部２０と、この固定部２０の前方に略平行に形成した可動部２１と、前記固定部２０と可動部２１の間を接続すると共に上方に羽根部２２を立設し、前記固定部２０と可動部２１と羽根部２２を一体で形成し、前記固定部２０と羽根部２２の間及び可動部２１と羽根部２２の間に肉薄部２３・２４を設け、この肉薄部２３・２４の屈曲にて左右方向の風向を変更する垂直羽根を備えたものである。【選択図】      図２
2004239496.tif 000002
【特許請求の範囲】
【請求項１】
筐体の前面又は上面に備える吸込口と前面下部に備える吹出口とを結ぶ通風路に熱交換器と送風ファンを設け、前記吹出口に吹出風の左右方向を調節する垂直羽根を備えた空気調和機に於いて、前記垂直羽根は横長の固定部と、この固定部の前方に略平行に形成した可動部と、前記固定部と可動部の間を接続すると共に上方に羽根部を立設し、前記固定部と可動部と羽根部を一体で形成し、前記固定部と羽根部の間及び可動部と羽根部の間に肉薄部を設け、この肉薄部の屈曲にて左右方向の風向を変更する垂直羽根を備えた空気調和機。
【請求項２】
前記固定部を吹出口の内面に係合手段にて係合して取付け、前記可動部に備えた凹凸部と、この凹凸部上面に前記吹出口内面より突設された押さえ部が設けられ、この押さえ部底面の凸部と前記凹凸部の接触により、可動部の左右方向を摺動自在に停止することで羽根部の角度を調節し、吹出風の方向を変更する事を特徴とする請求項１記載の空気調和機。
【請求項３】
前記係合手段は固定部の底面又は側面に備えた突起と、この突起に嵌合する穴部を吹出口内面に備え、前記固定部の突起の反対側面に一対の腕部を延出し、この腕部の底面から左右に突起を備え、この突起に対応する穴部を吹出口内面に設け、前記腕部の屈曲で固定部を吹出口内面の穴部に取付ける事を特徴とする請求項１及び２記載の空気調和機。
【発明の詳細な説明】
【０００１】
【発明が属する技術分野】
この発明は空気調和機の室内ユニットの吹出口に備え、吹出空気を左右方向に変える垂直羽根に関するものである。
【０００２】
【従来の技術】
従来、空気調和機の室内ユニットはそれぞれ独立した多数の垂直羽根の回動軸を吹出口の内面に回動自在に取付け、それぞれの垂直羽根を連接板に回動自在に接続し、個々の垂直羽根の回転又は連接板の左右方向の移動によって、吹出風の左右方向を調整していた。
また垂直羽根と連接板を一体に形成して、垂直羽根と連接板の間に備えたヒンジ部で垂直羽根を連動するものが有った。（例えば、特許文献１参照）
【０００３】
【特許文献１】
登録実用新案第３０１３７４０号公報
【０００４】
【発明が解決しようとする課題】
しかしながら、垂直羽根は多数有り、回動軸の吹出口内面への取付けや、連接板への取付は、垂直羽根が多数有るためにたいへん手間のかかる作業で有った。
【０００５】
【問題点を解決するための手段】
この発明はこの点に着目し上記欠点を解決する為、特にその構成を、筐体の前面又は上面に備える吸込口と前面下部に備える吹出口とを結ぶ通風路に熱交換器と送風ファンを設け、前記吹出口に吹出風の左右方向を調節する垂直羽根を備えた空気調和機に於いて、前記垂直羽根は横長の固定部と、この固定部の前方に略平行に形成した可動部と、前記固定部と可動部の間を接続すると共に上方に羽根部を立設し、前記固定部と可動部と羽根部を一体で形成し、前記固定部と羽根部の間及び可動部と羽根部の間に肉薄部を設け、この肉薄部の屈曲にて左右方向の風向を変更する垂直羽根を備えるものである。
また前記固定部を吹出口の内面に係合手段にて係合して取付け、前記可動部に備えた凹凸部と、この凹凸部上面に前記吹出口内面より突設された押さえ部が設けられ、この押さえ部底面の凸部と前記凹凸部の接触により、可動部の左右方向を摺動自在に停止することで羽根部の角度を調節し、吹出風の方向を変更するものである。
また前記係合手段は固定部の底面又は側面に備えた突起と、この突起に嵌合する穴部を吹出口内面に備え、前記固定部の突起の反対側面に一対の腕部を延出し、この腕部の底面から左右に突起を備え、この突起に対応する穴部を吹出口内面に設け、前記腕部の屈曲で固定部を吹出口内面の穴部に取付けるようにしたものである。
【０００６】
これによって、回動軸や連接板の取付作業がなくなり組み立て作業が極めて簡単になり、吹出風の方向が安定し、吹出口内面への固定部の取付も簡単に取付けできるものである。
【０００７】
【発明の実施の形態】
以下この発明の一実施例を図面をもとに説明すれば、１はセパレート式空気調和機の室内ユニットで、後板２と前方の前面パネル３によって筐体を形成し、この筐体内には熱交換器４と送風ファン５等を備えている。
前記熱交換器４はフィンチューブ式の熱交換器で、後板２と対向する後部熱交換器４ａと前面パネル３と対向する前部熱交換器４ｂを逆Ｖ字型に位置させている。
【０００８】
また前部熱交換器４ｂは前面パネル３に沿って多段階に屈曲して設けられ、この前部熱交換器４ｂの下方には前部ドレンパン６が設けられ、前部熱交換器４ｂで発生した結露水を受けるものである。
また前記後部熱交換器４ａの下部には後部ドレンパン７が後板２と一体に形成されている。
【０００９】
前記後板２は送風ファン５と熱交換器４等が取付けられると共に、上面には格子状の上吸込口８を備え、中央には前記クロスフロー式の送風ファン５のスタビライザを兼用する後部ドレンパン７を備え、この後部ドレンパン７の下方には送風ファン５のエアーガイダー９を備えている。
【００１０】
またこのエアーガイダー９の左側には前記送風ファン５の軸受１０を設け、エアーガイダー９の右側には送風モータ１１を取付けている。
【００１１】
前記前面パネル３の中央には横長スリット状の前吸込口１２を有するオープンパネル１３を備えこのパネル１３上部左右に設けた軸１４を支点として前面パネル３前方へ開閉自在に取付られ、前記前吸込口１２下方から前面パネル３底面には横長の吹出口１５を設け、また前記後板２と前面パネル３上面には前記前吸込口１２で不足する開口面積を補うために前記上吸込口８を設けている。
【００１２】
前記吹出口１５には上下方向の風向をコントロールする水平羽根１６と左右方向の風向をコントロールする垂直羽根１７を設け、前記水平羽根１６は横長扁平の樹脂板の左右に回動軸１８を設け、ルーバーモータ１９により水平羽根１６の角度を変えることで吹出風の上下方向を好みの方向に向けるもので、一般に冷房運転時には水平方向に暖房運転時には下方に向けて運転するものであり、運転停止時には自動的に吹出口１５を蓋状に閉じる事で室内ユニット１の外観デザインをスッキリと向上させるものである。
【００１３】
前記垂直羽根１７はポリプロピレン等の樹脂材料で成形されるもので、横長板状の固定部２０と、この固定部２０の前方に略平行に横長板状の可動部２１と、固定部２０と可動部２１を前後に接続し上方に立設し、固定部２０側が高く、可動部２１側が低い略三角形状の羽根部２２が一体に成形されている。
【００１４】
２３は前記固定部２０と羽根部２２の間に設けた後肉薄部で、固定部２０と羽根部２２をヒンジ状に接続している。
２４は前記可動部２１と羽根部２２の間に設けた前肉薄部で、可動部２１と羽根部２２をヒンジ状に接続し、前記後肉薄部２３と前肉薄部２４の屈曲角度に応じて、平行に並んだ羽根部２２の方向が変化するものである。
【００１５】
２５は前記吹出口１５の内面で、エアーガイダー９のに連なる壁面で形成されている。この内面２５には横長の凹部２６が設けられ、この凹部２６の一部には複数の係合手段である係合部２７を備え、この係合部２７の後ろ側の底面又は側面に穴部２８を設けている。また、係合部２７の前方側の左右底面又は側面には一対の穴部２９を設けている。
【００１６】
３０は前記固定部２０の後ろ側の底面又は側面に備えた突起で、前記穴部２８に挿入係合される、また、この突起３０に対向する側面には一対の腕部３１が前方に延出され、この腕部３１の底面又は側面には一対の突起３２を備え、前記腕部３１の内側への湾曲により、前記内面２５の一対の穴部２９に挿入係合されるものであり、腕部３１の先端上部には腕部３１を屈曲させるための摘み部３３を設けている。
【００１７】
３４は前記可動部２１の上面に備えた凹凸部で、この凹凸部３４上面に吹出口１５内面２５より突設された押さえ部３５が設けられ、この押さえ部３５底面の凸部３６が前記凹凸部３４を上方から押圧しながら左右方向に摺動自在に停止する事で吹出風の左右方向をコントロールするものである。
【００１８】
前記送風モータ１１やルーバーモータ１９は室内制御部３７によって運転停止を含む回転制御が行われ、この室内制御部３７から連絡電線３８にて室外制御部３９に接続され、この室外制御部３９にて圧縮機４０や室外モータ４１、膨脹弁４２等の室外ユニット（図示せず）に備える電気部品の運転制御を行うものである。
また前記室内制御部３７にはリモコン４３の受信部４４が接続され、前記リモコン４３に備えた運転スイッチ４４やタイマスイッチ４５等のスイッチ類にて運転指令が発せられるものである。
【００１９】
４６は前吸込口１２と熱交換器４の間に設けた室温センサで、サーミスタセンサ等からなり、吸込空気の温度を測定するものである。
４７は前記リモコン４３に備えた室温設定スイッチで、使用者の好みに応じて室温の設定を行うものである。
【００２０】
作動について説明すれば、運転スイッチ４４の押圧により空気調和機の運転が開始され送風モータ１１と圧縮機４０と室外モータ４１が運転を開始し、冷凍サイクル内に冷媒が循環を始め、冷房または暖房の運転が開始される。
【００２１】
垂直羽根１７の取付けについて説明すれば、エアーガイダー９に続く、吹出口１５内面２５に形成された凹部２６の穴部２８に、固定部２０の突起３０を挿入すると共に、吹出口１５内面２５と押さえ部３５の間に可動部２１の凹凸部３４を位置させ、腕部３１の摘み部３３を内側に屈曲させ突起３２を穴部２９に合わせ屈曲を開放すれば突起３２は穴部２９に挿入され固定部２０は凹部２６の係合部２７にきっちりと固定されるものである。
【００２２】
また左右方向の風向を変更するには、垂直羽根１７の可動部２１又は羽根部２２を手動で移動させれば押さえ部３５と凹凸部３４との関係で、所定範囲で風向を変更することができるものである。
【００２３】
このように回動軸や連接板の取付作業がなくなり組み立て作業が極めて簡単になり、吹出風の方向が安定し、吹出口１５内面２５への固定部２０の取付も簡単に取付けできるようになるものである。
【００２４】
【発明の効果】
以上のようにこの発明によれば、組み立て作業が極めて簡単になり、吹出風の方向が安定し、吹出口内面への固定部の取付も簡単に取付けできるようになるものである。
【図面の簡単な説明】
【図１】この発明の一実施例の断面図。
【図２】同要部の拡大斜視図。
【図３】同要部の拡大斜視図。
【図４】同要部の拡大平面図。
【図５】同Ａ−Ａ断面図。
【図６】同Ｂ−Ｂ断面図。
【図７】同制御装置の略図。
【符号の説明】
１５  吹出口
１７  垂直羽根
２０  固定部
２１  可動部
２２  羽根部
２３  後肉薄部
２４  前肉薄部
２５  内面
【図１】
2004239496.tif 000003
【図２】
2004239496.tif 000004
【図３】
2004239496.tif 000005
【図４】
2004239496.tif 000006
【図５】
2004239496.tif 000007
【図６】
2004239496.tif 000008
【図７】
2004239496.tif 000009